(57)【要約】  本願は、下り制御情報ＤＣＩの伝送方法、装置及びネットワーク機器を開示する。ここで、方法において、時間領域リソース割当フィールド、アグリゲーション伝送指示フィールド、時間領域リソースの設定値及び変調階数の設定値を指示する第１指示フィールド、又は、時間領域リソースの設定値及びアグリゲーション伝送指示の設定値を指示する第２指示フィールドを含み、下り制御情報ＤＣＩを伝送するためのＤＣＩフォーマットを決定することと、前記ＤＣＩフォーマットに基づいて前記ＤＣＩを伝送することとを含む。
2021519043.tif 000002
【特許請求の範囲】
【請求項１】
ネットワーク機器に応用される下り制御情報ＤＣＩの伝送方法であって、
時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定することと、
前記ＤＣＩフォーマットに基づいて前記ＤＣＩを伝送することとを含む、下り制御情報ＤＣＩの伝送方法。
【請求項２】
前記第１指示フィールドによって指示される時間領域リソースの設定値は、時間領域リソースフィールドによって指示されるＯＦＤＭシンボル数を含み、
前記第１指示フィールドによって指示される変調階数の設定値は、時間領域リソースフィールドによって指示されるＯＦＤＭシンボル数に基づいて決定される前記変調階数を含む、請求項１に記載のＤＣＩの伝送方法。
【請求項３】
Ｋ≦ｎ≦Ｎの場合、時間領域リソースフィールドによって指示されるＯＦＤＭシンボル数に基づいて決定される前記変調階数は、第１タイプの符号化方式であり、
ここで、ｎは、前記時間領域リソース割当フィールドによって指示されるＯＦＤＭシンボル数であり、且つＮ≧Ｋであり、Ｎ、Ｋは、設定された値又は予め設定された一定値である、請求項２に記載のＤＣＩの伝送方法。
【請求項４】
Ｎ＜ｎ≦Ｍの場合、時間領域リソースフィールドによって指示されるＯＦＤＭシンボル数に基づいて決定される前記変調階数は、第２タイプの符号化方式であり、
ここで、ｎは、前記時間領域リソース割当フィールドによって指示されるＯＦＤＭシンボル数であり、且つＭ≧Ｎであり、Ｎ、Ｍは、設定された値又は予め設定された一定値である、請求項２に記載のＤＣＩの伝送方法。
【請求項５】
ｎ＞Ｍの場合、時間領域リソースフィールドによって指示されるＯＦＤＭシンボル数に基づいて決定される前記変調階数は、第３タイプの符号化方式であり、
ここで、ｎは、前記時間領域リソース割当フィールドによって指示されるＯＦＤＭシンボル数であり、Ｍは、設定された値又は予め設定された一定値である、請求項２に記載のＤＣＩの伝送方法。
【請求項６】
ｎ＝Ｌの場合、時間領域リソースフィールドによって指示されるＯＦＤＭシンボル数に基づいて決定される前記変調階数は、第４タイプの符号化方式であり、
ここで、ｎは、前記時間領域リソース割当フィールドによって指示されるＯＦＤＭシンボル数であり、Ｌは、設定された値又は予め設定された一定値である、請求項２に記載のＤＣＩの伝送方法。
【請求項７】
前記ＤＣＩは、フラグフィールド、周波数領域リソース割当フィールド、ハイブリッド自動再送要求ＨＡＲＱプロセス数指示フィールド、冗長バージョンフィールド、伝送ブロックサイズ指示フィールド、及び巡回冗長検査フィールドの少なくとも１つを更に含む、請求項２〜６のいずれか一項に記載のＤＣＩの伝送方法。
【請求項８】
前記時間領域リソース割当フィールドは、第１種の設定値を指示することに用いられ、
前記第１種の設定値は、Ｌ１種の設定値のうちの１種であり、前記Ｌ１種の設定値は、時間領域リソースのすべて又は一部の設定のうちのＬ１種であり、
ここで、前記第１種の設定値は、１つのＰＤＳＣＨが占有する時間領域シンボル長と１つのオフセット値とを含み、前記オフセット値は、制御リソースセットの開始ＯＦＤＭシンボル又は終了ＯＦＤＭシンボルに対するＰＤＳＣＨのオフセットであり、Ｌ１は、設定された値である、請求項１に記載のＤＣＩの伝送方法。
【請求項９】
前記アグリゲーション伝送指示フィールドは、第２種の設定値を指示することに用いられ、
前記第２種の設定値は、Ｌ２種の設定値のうちの１種であり、前記Ｌ２種の設定値は、アグリゲーション伝送指示フィールドのすべて又は一部の設定のうちのＬ２種であり、
ここで、前記第２種の設定値は、１つのアグリゲーションレベルと１つのインターバルを含み、前記インターバルは、アグリゲーション伝送の間の間隔であり、Ｌ２は、設定された値である、請求項１に記載のＤＣＩの伝送方法。
【請求項１０】
前記第２指示フィールドによって指示される時間領域リソースの設定値とアグリゲーション伝送指示の設定値は、第３種の設定値を含み、
前記第３種の設定値は、Ｌ３種の設定値のうちの１種であり、前記Ｌ３種の設定値は、時間領域リソースフィールドとアグリゲーション伝送指示フィールドのすべて又は一部の設定のうちのＬ３種であり、
ここで、前記第３種の設定値は、１つの物理下り共有チャネルが占有する時間領域シンボル長と、１つのオフセット値と、１つのアグリゲーションレベルと、アグリゲーション伝送の間の１つのインターバルを含み、Ｌ３は、設定された値である、請求項１に記載のＤＣＩの伝送方法。
【請求項１１】
前記ＤＣＩは、ＤＣＩフォーマット識別子フィールド、周波数領域リソース割当フィールド、仮想リソースブロックＶＲＢ−物理リソースブロックＰＲＢマッピングフィールド、変調符号化方式フィールド、新規データ指示フィールド、冗長バージョンフィールド、ハイブリッド自動再送ＨＡＲＱプロセス数指示フィールド、下りリンク割当インデックス指示フィールド、物理上り制御チャネルＰＵＣＣＨの伝送電力制御ＴＰＣ指示フィールド、ＰＵＣＣＨリソース指示フィールド、物理下り共有チャネルＰＤＳＣＨ−ＨＡＲＱのフィードバック時間指示フィールド、及び巡回冗長検査フィールドの少なくとも１つを更に含む、請求項８〜１０のいずれか一項に記載のＤＣＩの伝送方法。
【請求項１２】
ネットワーク機器に応用される下り制御情報ＤＣＩの伝送装置であって、
時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、
下り制御情報ＤＣＩを伝送するためのＤＣＩフォーマットを決定するための処理モジュールと、
前記ＤＣＩフォーマットに基づいて前記ＤＣＩを伝送するための送受信モジュールとを含む、下り制御情報ＤＣＩの伝送装置。
【請求項１３】
前記第１指示フィールドによって指示される時間領域リソースの設定値は、時間領域リソースフィールドによって指示されるＯＦＤＭシンボル数を含み、
前記第１指示フィールドによって指示される変調階数の設定値は、時間領域リソースフィールドによって指示されるＯＦＤＭシンボル数に基づいて決定される前記変調階数を含む、請求項１２に記載のＤＣＩの伝送装置。
【請求項１４】
Ｋ≦ｎ≦Ｎの場合、時間領域リソースフィールドによって指示されるＯＦＤＭシンボル数に基づいて決定される前記変調階数は、第１タイプの符号化方式であり、
ここで、ｎは、前記時間領域リソース割当フィールドによって指示されるＯＦＤＭシンボル数であり、且つＮ≧Ｋであり、Ｎ、Ｋは、設定された値又は予め設定された一定値である、請求項１３に記載のＤＣＩの伝送装置。
【請求項１５】
Ｎ＜ｎ≦Ｍの場合、時間領域リソースフィールドによって指示されるＯＦＤＭシンボル数に基づいて決定される前記変調階数は、第２タイプの符号化方式であり、
ここで、ｎは、前記時間領域リソース割当フィールドによって指示されるＯＦＤＭシンボル数であり、且つＭ≧Ｎであり、Ｎ、Ｍは、設定された値又は予め設定された一定値である、請求項１３に記載のＤＣＩの伝送装置。
【請求項１６】
ｎ＞Ｍの場合、時間領域リソースフィールドによって指示されるＯＦＤＭシンボル数に基づいて決定される前記変調階数は、第３タイプの符号化方式であり、
ここで、ｎは、前記時間領域リソース割当フィールドによって指示されるＯＦＤＭシンボル数であり、Ｍは、設定された値又は予め設定された一定値である、請求項１３に記載のＤＣＩの伝送装置。
【請求項１７】
ｎ＝Ｌの場合、時間領域リソースフィールドによって指示されるＯＦＤＭシンボル数に基づいて決定される前記変調階数は、第４タイプの符号化方式であり、
ここで、ｎは、前記時間領域リソース割当フィールドによって指示されるＯＦＤＭシンボル数であり、Ｌは、設定された値又は予め設定された一定値である、請求項１３に記載のＤＣＩの伝送装置。
【請求項１８】
前記ＤＣＩは、フラグフィールド、周波数領域リソース割当フィールド、ハイブリッド自動再送要求ＨＡＲＱプロセス数指示フィールド、冗長バージョンフィールド、伝送ブロックサイズ指示フィールド、及び巡回冗長検査フィールドの少なくとも１つを更に含む、請求項１３〜１７のいずれか一項に記載のＤＣＩの伝送装置。
【請求項１９】
前記時間領域リソース割当フィールドは、第１種の設定値を指示することに用いられ、
前記第１種の設定値は、Ｌ１種の設定値のうちの１種であり、前記Ｌ１種の設定値は、時間領域リソースのすべて又は一部の設定のうちのＬ１種であり、
ここで、前記第１種の設定値は、１つのＰＤＳＣＨが占有する時間領域シンボル長と１つのオフセット値とを含み、前記オフセット値は、制御リソースセットの開始ＯＦＤＭシンボル又は終了ＯＦＤＭシンボルに対するＰＤＳＣＨのオフセットであり、Ｌ１は、設定された値である、請求項１２に記載のＤＣＩの伝送装置。
【請求項２０】
前記アグリゲーション伝送指示フィールドは、第２種の設定値を指示することに用いられ、
前記第２種の設定値は、Ｌ２種の設定値のうちの１種であり、前記Ｌ２種の設定値は、アグリゲーション伝送指示フィールドのすべて又は一部の設定のうちのＬ２種であり、
ここで、前記第２種の設定値は、１つのアグリゲーションレベルと１つのインターバルを含み、前記インターバルは、アグリゲーション伝送の間の間隔であり、Ｌ２は、設定された値である、請求項１２に記載のＤＣＩの伝送装置。
【請求項２１】
前記第２指示フィールドによって指示される時間領域リソースの設定値とアグリゲーション伝送指示の設定値は、第３種の設定値を含み、
前記第３種の設定値は、Ｌ３種の設定値のうちの１種であり、前記Ｌ３種の設定値は、時間領域リソースフィールドとアグリゲーション伝送指示フィールドのすべて又は一部の設定のうちのＬ３種であり、
ここで、前記第３種の設定値は、１つの物理下り共有チャネルが占有する時間領域シンボル長と、１つのオフセット値と、１つのアグリゲーションレベルと、アグリゲーション伝送の間の１つのインターバルを含み、Ｌ３は、設定された値である、請求項１２に記載のＤＣＩの伝送装置。
【請求項２２】
前記ＤＣＩは、ＤＣＩフォーマット識別子フィールド、周波数領域リソース割当フィールド、仮想リソースブロックＶＲＢ−物理リソースブロックＰＲＢマッピングフィールド、変調符号化方式フィールド、新規データ指示フィールド、冗長バージョンフィールド、ハイブリッド自動再送ＨＡＲＱプロセス数指示フィールド、下りリンク割当インデックス指示フィールド、物理上り制御チャネルＰＵＣＣＨの伝送電力制御ＴＰＣ指示フィールド、ＰＵＣＣＨリソース指示フィールド、物理下り共有チャネルＰＤＳＣＨ−ＨＡＲＱのフィードバック時間指示フィールド、及び巡回冗長検査フィールドの少なくとも１つを更に含む、請求項１９〜２１のいずれか一項に記載のＤＣＩの伝送装置。
【請求項２３】
時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するためのプロセッサと、
前記ＤＣＩフォーマットに基づいて前記ＤＣＩを伝送するためのトランシーバとを含む、ネットワーク機器。
【請求項２４】
プロセッサと、メモリと、前記メモリに記憶され、前記プロセッサで動作可能なコンピュータプログラムとを含むネットワーク機器であって、
前記プロセッサは、前記コンピュータプログラムを実行すると、請求項１〜１１のいずれか一項に記載の下り制御情報ＤＣＩの伝送方法のステップを実現する、ネットワーク機器。
【請求項２５】
コンピュータプログラムが記憶されているコンピュータ読み取り可能な記憶媒体であって、
前記コンピュータプログラムがプロセッサによって実行されると、請求項１〜１１のいずれか一項に記載の下り制御情報ＤＣＩの伝送方法のステップが実現される、コンピュータ読み取り可能な記憶媒体。
【発明の詳細な説明】
【技術分野】
【０００１】
本願は、２０１８年２月１２日に中国特許庁に提出された中国特許出願２０１８１０１４７６２８．２の優先権を主張し、その全ての内容が援用によりここに取り込まれる。
【０００２】
本開示は、通信技術分野に係り、特に下り制御情報ＤＣＩの伝送方法、装置及びネットワーク機器に係る。
【背景技術】
【０００３】
ＮＲ（Ｎｅｗ  Ｒａｄｉｏ）システムでは、ブロードキャスト情報は、主要情報ブロックＭＩＢ（ｍａｓｔｅｒ  ｉｎｆｏｒｍａｔｉｏｎ  ｂｌｏｃｋ）、残りの最小システム情報ＲＭＳＩ（ｒｅｍａｉｎｉｎｇ  ｍｉｎｉｍｕｍ  ｓｙｓｔｅｍ  ｉｎｆｏｒｍａｔｉｏｎ）及び他のシステム情報ＯＳＩ（ｏｔｈｅｒ  ｓｙｓｔｅｍ  ｉｎｆｏｒｍａｔｉｏｎ）、及びページング（ｐａｇｉｎｇ）情報に分けられる。ここで、ＭＩＢは、物理ブロードキャストチャネルＰＢＣＨ（ｐｈｙｓｉｃａｌ  ｂｒｏａｄｃａｓｔ  ｃｈａｎｎｅｌ）で伝送される。ＲＭＳＩ及びＯＳＩは、物理下り共有チャネルＰＤＳＣＨ（ｐｈｙｓｉｃａｌ  ｄｏｗｎｌｉｎｋ  ｓｈａｒｅｄ  ｃｈａｎｎｅｌ）で伝送され、対応する物理下り制御チャネルＰＤＣＣＨ（ｐｈｙｓｉｃａｌ  ｄｏｗｎｌｉｎｋ  ｃｏｎｔｒｏｌ  ｃｈａｎｎｅｌ）でスケジューリングされる。ページング情報は、ＰＤＣＣＨ（物理下り制御チャネル）で直接指示するものと、ＰＤＣＣＨ（物理下り制御チャネル）によるＰＤＳＣＨ（物理下り共有チャネル）のスケジューリングで伝送されるものとの２種類に分けられる。
【０００４】
ＭＩＢ、ＲＭＳＩ、ＯＳＩ及びｐａｇｉｎｇは、共にブロードキャスト情報であり、セルのカバレッジは、ＭＩＢ、ＳＩ、ｐａｇｉｎｇ及びＳＩ／ｐａｇｉｎｇ  ＰＤＣＣＨのカバレッジの共通集合である。
【０００５】
ＮＲシステムでは、ＭＩＢの負荷は、５６ｂｉｔｓであり、ＮＲ  ＰＢＣＨのシンボル数は、５７６リソース粒子ＲＥｓ（ｒｅｓｏｕｒｃｅ  ｅｌｅｍｅｎｔｓ）であり、その１／４をＤＭＲＳが占有するので、５７６＊（１−１／４）＝４３２ＲＥｓがデータ伝送に用いられる。ＰＢＣＨは、ＱＰＳＫ符号化を用いており、ＰＢＣＨにはＭＩＢ情報のみが含まれているため、ＭＩＢの符号化ビットは、４３２＊２＝８６４ｂｉｔｓまで達することができ、符号化率は、５６／８６４＝０．０６５であり、且つＭＩＢは、４回の伝送が可能であり、端末でマージが行われる。
【０００６】
ＮＲシステムでは、ＲＭＳＩ／ＯＳＩ／ｐａｇｉｎｇ情報をスケジューリングするために、従来技術ではＤＣＩ  ｆｏｒｍａｔ１＿０（ｄｏｗｎｌｉｎｋ  ｆａｌｌｂａｃｋ  ＤＣＩ（ダウンリンクフォールバックＤＣＩ））が用いられる。
【０００７】
ＤＣＩ  ｆｏｒｍａｔ１＿０の負荷は、６４ｂｉｔｓ程度であり、ＰＤＣＣＨが取り得るアグリゲーションレベルＡＬ（ａｇｇｒｅｇａｔｉｏｎ  ｌｅｖｅｌ）は、４、８、１６である。異なるアグリゲーションレベルでは、１／４のＤＭＲＳシンボル数が減算され、利用可能なＲＥｓ数は、下記のように示されている。
【０００８】
【数１】
2021519043.tif 000003
【０００９】
１つの制御チャネル粒子ＣＣＥ（Ｃｏｎｔｒｏｌ  Ｃｈａｎｎｅｌ  Ｅｌｅｍｅｎｔ）が６つのＲＥ群（ＲＥＧ）を含み、１つのＲＥＧが１２ＲＥｓである。ＡＬ＝４の場合、利用可能なＲＥは、４＊６＊１２＊（１−１／４）＝２１６ＲＥｓである。
【００１０】
ＲＭＳＩの制御リソースセットＣＯＲＥＳＥＴ（Ｃｏｎｔｒｏｌ−ｒｅｓｏｕｒｃｅ  Ｓｅｔ）周波数領域リソースは、２４ＲＢｓ、４８ＲＢｓ、９６ＲＢｓであり、ここで、ＲＢは、リソースブロックである。ＲＭＳＩ  ＣＯＲＥＳＥＴは、ＲＭＳＩ  ＣＯＲＥＳＥＴの帯域幅に等しい初期ＢＷＰ（ｉｎｉｔｉａｌ  ＢＷＰ）の帯域幅を設定する。
【００１１】
従って、設定に基づき、初期帯域幅部分ＢＷＰ（ｉｎｉｔｉａｌ  Ｂａｎｄｗｉｄｔｈ  Ｐａｒｔ）は、２４ＲＢｓ、４８ＲＢｓ、９６ＲＢｓである。ミニスロット（ｍｉｎｉ−ｓｌｏｔ）のスケジューリングであり、占有可能なシンボル数が２／４／７ＯＦＤＭシンボルであり、ＳＩ／ｐａｇｉｎｇにシングルポート伝送が用いられ、且つ、復調参照信号ＤＭＲＳ（Ｄｅｍｏｄｕｌａｔｉｏｎ  Ｒｅｆｅｒｅｎｃｅ  Ｓｉｇｎａｌ）設定（ｃｏｎｆｉｇｕｒａｔｉｏｎ）ｔｙｐｅ２が用いられる場合、ＤＭＲＳは、最初のＯＦＤＭシンボルの１／３のＲＥリソースを占有し、利用可能なリソースは、以下のように示される。
【００１２】
【数２】
2021519043.tif 000004
【００１３】
２ＯＦＤＭ  ｓｙｍｂｏｌｓ、２４ＲＢｓによる伝送の場合、利用可能なＲｅｓは、２＊１２＊２４−１＊１２＊２４＊１／３＝４３２ＲＥｓとして算出される。
【００１４】
ＤＣＩ  ｆｏｒｍａｔ１＿０によるＳＩ／ｐａｇｉｎｇのスケジューリングの場合、アグリゲーションレベルが４又は８のとき、ＭＩＢよりも符号化率が大きく（ＭＩＢ符号化率が０．０６５）、ＰＤＣＣＨは、ＭＩＢのカバレッジに達しない可能性がある。
【００１５】
ＬＴＥでは、ＳＩ及びｐａｇｉｎｇは、ＱＰＳＫ変調を固定的に採用している。
【００１６】
ＮＲシステムでは、ＤＣＩ  ｆｏｒｍａｔ０＿０／１＿０は、より高い符号化率を有する、信頼性の高い低遅延シーンＵＲＬＬＣ（Ｕｌｔｒａ  Ｒｅｌｉａｂｌｅ  ＆Ｌｏｗ  Ｌａｔｅｎｃｙ  Ｃｏｍｍｕｎｉｃａｔｉｏｎ）におけるデータスケジューリングに用いられ、ＰＤＣＣＨカバレッジをより小さくする。
【発明の概要】
【発明が解決しようとする課題】
【００１７】
本開示の実施例は、従来技術におけるＤＣＩ伝送時にＰＤＣＣＨの符号化率が高い問題やカバレッジ不足問題を解決するために、下り制御情報ＤＣＩの伝送方法、装置及びネットワーク機器を提供する。
【課題を解決するための手段】
【００１８】
第１方面において、本開示の実施例は、ネットワーク機器に応用される下り制御情報ＤＣＩの伝送方法を提供し、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定することと、前記ＤＣＩフォーマットに基づいて前記ＤＣＩを伝送することとを含む。
【００１９】
第２方面において、本開示の実施例は、ネットワーク機器に応用される下り制御情報ＤＣＩの伝送装置を提供し、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するための処理モジュールと、前記ＤＣＩフォーマットに基づいて前記ＤＣＩを伝送するための送受信モジュールとを含む。
【００２０】
第３方面において、本開示の実施例は、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するためのプロセッサと、前記ＤＣＩフォーマットに基づいて前記ＤＣＩを伝送するためのトランシーバとを含むネットワーク機器を提供する。
【００２１】
第４方面において、本開示の実施例は、プロセッサと、メモリと、前記メモリに記憶され、前記プロセッサで動作可能なコンピュータプログラムとを含むネットワーク機器を提供し、前記プロセッサは、前記コンピュータプログラムを実行すると、上記の下り制御情報ＤＣＩの伝送方法のステップを実現する。
【００２２】
第５方面において、本開示の実施例は、コンピュータプログラムが記憶されているコンピュータ読み取り可能な記憶媒体を提供し、前記コンピュータプログラムがプロセッサによって実行されると、上記の下り制御情報ＤＣＩの伝送方法のステップが実現される。
発明の効果
【００２３】
このように、本開示の実施例の下り制御情報ＤＣＩの伝送方法において、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定し、前記ＤＣＩフォーマットに基づいて前記ＤＣＩを伝送することによって、より小さな負荷のＤＣＩを設定し、限られたリソース設定の下で、ＰＤＣＣＨの符号化率を低減し、ＰＤＣＣＨのカバレッジを向上させることを実現する。
【００２４】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２５】
【図１】本開示の実施例に係るＤＣＩの伝送方法の第１のフローチャートである。
【図２】本開示の実施例に係るＤＣＩの伝送方法の第２のフローチャートである。
【図３】本開示の実施例に係るＤＣＩの伝送方法の第３のフローチャートである。
【図４】本開示の実施例において、ＣＯＲＥＳＥＴ、ＲＭＳＩ及びＳＳＢの同時送信時に、時間領域リソース割当の時間領域位置の第１例を示す図である。
【図５】本開示の実施例において、ＣＯＲＥＳＥＴ、ＲＭＳＩ及びＳＳＢの同時送信時に、時間領域リソース割当の時間領域位置の第２例を示す図である。
【図６】本開示の実施例において、ＣＯＲＥＳＥＴ、ＲＭＳＩ及びＳＳＢの同時送信時に、時間領域リソース割当の時間領域位置の第３例を示す図である。
【図７】本開示の実施例において、ＲＭＳＩ、ＣＯＲＥＳＥＴ制御リソースセットがＳＳＢ同期情報ブロックの送信完了後に再送する際に、時間領域リソース割当の時間領域位置を示す図である。
【図８】本開示の実施例に係るＤＣＩの伝送方法の第４のフローチャートである。
【図９】本開示の実施例において、ＣＯＲＥＳＥＴに対するＰＤＳＣＨのシンボルオフセットを示す図である。
【図１０】本開示の実施例において、アグリゲーション伝送の間の間隔の第１例を示す図である。
【図１１】本開示の実施例において、アグリゲーション伝送の間の間隔の第２例を示す図である。
【図１２】本開示の実施例に係るＤＣＩの伝送方法の第４のフローチャートである。
【図１３】本開示の実施例に係るＤＣＩの伝送装置のブロック図である。
【図１４】本開示の実施例に係るネットワーク機器のブロック図である。
【発明を実施するための形態】
【００２６】
以下、添付図面を参照して本開示の例示的な実施例を更に詳細に記載する。本開示の例示的な実施例を図面に示しているが、本開示は、ここで説明した実施例に限定されることなく様々な形態で実現されることが理解されるべきである。これらの実施例を示すことは、本開示をより徹底的に理解してもらい、本開示の範囲を当業者に全面的に伝えるためである。
【００２７】
本願の明細書及び特許請求の範囲における「第１」、「第２」などの用語は、類似対象を区別するためのものであり、特定の順番や前後順を記載するために用いられない。このようなデータは、ここに記載した本願の実施例が例えばここに図示又は記載したもの以外の順番でも実施できるように、適宜に交換可能であることが理解されるべきである。また、「含む」、「有する」及びそれらのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んてもよい。
【００２８】
図１に示すように、本開示の実施例に係る下り制御情報ＤＣＩの伝送方法は、ネットワーク機器に応用される方法であって、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するステップ１１と、前記ＤＣＩフォーマットに基づいて前記ＤＣＩを伝送するステップ１２とを含む。
【００２９】
本開示の実施例の下り制御情報ＤＣＩの伝送方法において、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定し、前記ＤＣＩフォーマットに基づいて前記ＤＣＩを伝送することによって、より小さな負荷のＤＣＩを設定し、限られたリソース設定の下で、ＰＤＣＣＨの符号化率を低減し、ＰＤＣＣＨのカバレッジを向上させることを実現する。
【００３０】
図２に示すように、本開示の実施例に係る下り制御情報ＤＣＩの伝送方法は、ネットワーク機器に応用され、以下のステップを含む。ステップ２１において、下り制御情報ＤＣＩを伝送するためのＤＣＩフォーマットを決定する。前記ＤＣＩフォーマットは、時間領域リソースの設定値及び変調階数の設定値を指示する第１指示フィールドを含む。前記第１指示フィールドによって指示される時間領域リソースの設定値は、時間領域リソースフィールドによって指示されるＯＦＤＭシンボル数を含む。前記第１指示フィールドによって指示される変調階数の設定値は、時間領域リソースフィールドによって指示されるＯＦＤＭシンボル数に基づいて決定される前記変調階数を含む。ステップ２２において、前記ＤＣＩフォーマットに基づいて前記ＤＣＩを伝送する。
【００３１】
具体的には、Ｋ≦ｎ≦Ｎの場合、時間領域リソースフィールドによって指示されるＯＦＤＭシンボル数に基づいて決定される前記変調階数は、第１タイプの符号化方式である。ここで、ｎは、時間領域リソース割当フィールドによって指示されるＯＦＤＭシンボル数であり、且つＮ≧Ｋであり、Ｎ、Ｋは、設定された値又は予め設定された一定値である。ここでの第１タイプの符号化方式は、１６ＱＡＭ、６４ＱＡＭ、ＱＰＳＫのいずれでもよく、もちろんこれらの符号化方式に限定されるものではない。
【００３２】
この実施例において、Ｎ＜ｎ≦Ｍの場合、時間領域リソースフィールドによって指示されるＯＦＤＭシンボル数に基づいて決定される前記変調階数は、第２タイプの符号化方式である。ここで、ｎは、前記時間領域リソース割当フィールドによって指示されるＯＦＤＭシンボル数であり、且つＭ≧Ｎであり、Ｎ、Ｍは、設定された値又は予め設定された一定値である。ここでの第２タイプの符号化方式は、１６ＱＡＭ、６４ＱＡＭ、ＱＰＳＫのいずれでもよく、もちろんこれらの符号化方式に限定されるものではない。
【００３３】
ｎ＞Ｍの場合、時間領域リソースフィールドによって指示されるＯＦＤＭシンボル数に基づいて決定される前記変調階数は、第３タイプの符号化方式である。ここで、ｎは、前記時間領域リソース割当フィールドによって指示されるＯＦＤＭシンボル数であり、Ｍは、設定された値又は予め設定された一定値である。ここでの第３タイプの符号化方式は、１６ＱＡＭ、６４ＱＡＭ、ＱＰＳＫのいずれでもよく、もちろんこれらの符号化方式に限定されるものではない。
【００３４】
ｎ＝Ｌの場合、時間領域リソースフィールドによって指示されるＯＦＤＭシンボル数に基づいて決定される前記変調階数は、第４タイプの符号化方式である。ここで、ｎは、前記時間領域リソース割当フィールドによって指示されるＯＦＤＭシンボル数であり、Ｌは、設定された値又は予め設定された一定値である。ここでの第４タイプの符号化方式は、１６ＱＡＭ、６４ＱＡＭ、ＱＰＳＫのいずれでもよく、もちろんこれらの符号化方式に限定されるものではない。
【００３５】
具体的には、時間領域リソース割当のシンボル数がｎＯＦＤＭ  ｓｙｍｂｏｌｓであると仮定し、以下の表１に示すように、Ｋ≦ｎ≦Ｎ（Ｎ≧Ｋ）の場合には６４直交振幅変調ＱＡＭ（Ｑｕａｄｒａｔｕｒｅ  Ａｍｐｌｉｔｕｄｅ  Ｍｏｄｕｌａｔｉｏｎ）が固定的に採用され、Ｎ＜ｎ≦Ｍ（Ｍ≧Ｎ）の場合には１６ＱＡＭが固定的に採用され、ｎ＞Ｍの場合には４位相偏移変調ＱＰＳＫ（Ｑｕａｄｒａｔｕｒｅ  Ｐｈａｓｅ  Ｓｈｉｆｔ  Ｋｅｙｉｎｇ）符号化が採用される。
【００３６】
【表１】
2021519043.tif 000005
【００３７】
具体的に実現する場合、時間領域リソース割当のシンボル数をｎＯＦＤＭ  ｓｙｍｂｏｌｓと仮定し、以下の表２に示すように、ｎ＝２の場合には６４ＱＡＭが固定的に採用され、２＜ｎ≦４の場合には１６ＱＡＭが固定的に採用され、ｎ＞４の場合にはＱＰＳＫ符号化が採用される。
【００３８】
【表２】
2021519043.tif 000006
【００３９】
もちろん、特定の一部シーンにおいて、時間領域リソースフィールドで割り当てられたＯＦＤＭシンボル数に基づいて、前記変調階数フィールドに用いられる変調階数を決定する方式では、そのうちの少なくとも１つを考慮する。以下の表に示されるのは、そのうちの２種類を考慮するケースである。
【００４０】
例えば、時間領域リソース割当のシンボル数をｎＯＦＤＭ  ｓｙｍｂｏｌｓと仮定し、Ｐ１≦ｎ≦Ｐ２の場合は、１６ＱＡＭが固定的に採用され、ｎ＞Ｐ２の場合はＱＰＳＫ符号が採用される。Ｐ１、Ｐ２は、下記の表３に示すように、設定された値である。
【００４１】
【表３】
2021519043.tif 000007
【００４２】
具体的に実現する場合、時間領域リソース割当シンボル数をｎＯＦＤＭ  ｓｙｍｂｏｌｓと仮定し、表４に示すように、２≦ｎ≦４の場合は１６ＱＡＭが固定的に採用され、ｎ＞４の場合はＱＰＳＫ符号化が採用される。
【００４３】
【表４】
2021519043.tif 000008
【００４４】
図３に示すように、本開示の実施例に係る下り制御情報ＤＣＩの伝送方法は、ネットワーク機器に適用され、以下のステップを含む。ステップ３１において、下り制御情報ＤＣＩを伝送するためのＤＣＩフォーマットを決定する。前記ＤＣＩフォーマットは、フラグフィールド、第１指示フィールド（具体的には時間領域リソース割当及び変調方式フィールド）、周波数領域リソース割当フィールド、ハイブリッド自動再送要求プロセス数指示フィールド、冗長バージョンフィールド、伝送ブロックサイズ指示フィールド、及び巡回冗長検査フィールドを含む。前記第１指示フィールドは、５ビット以下のビット、具体的には５ビット又は４ビットで指示することができる。ステップ３２において、前記ＤＣＩフォーマットに基づいて前記ＤＣＩを伝送する。
【００４５】
この実施例において、ＤＣＩの具体的なフォーマットは、下記のフィールドを含む。
Ｆｌａｇ（フラグフィールド）、
ｆｒｅｑｕｅｎｃｙ  ｄｏｍａｉｎ  ｒｅｓｏｕｒｃｅ  ａｌｌｏｃａｔｉｏｎ（周波数領域リソース割当フィールド）、
ｔｉｍｅ  ｄｏｍａｉｎ  ａｎｄ  ｍｏｄｕｌａｔｉｏｎ  ｓｃｈｅｍｅ（時間領域リソース割当及び変調方式）：時間領域リソース割当フィールド（ｔｉｍｅ  ｄｏｍａｉｎ  ｒｅｓｏｕｒｃｅ  ａｌｌｏｃａｔｉｏｎ）及び変調階数（ｍｏｄｕｌａｔｉｏｎ  ｏｒｄｅｒ）フィールド、
ＴＢ  ｓｉｚｅ  ｉｎｄｉｃａｔｉｏｎ（伝送ブロックサイズ指示）、
巡回冗長検査フィールド（ＣＲＣ：ｃｙｃｌｉｃ  ｒｅｄｕｎｄａｎｃｙ  ｃｈｅｃｋ）。
【００４６】
ここで、変調階数フィールド及び時間領域リソース割当フィールドは、統合指示方式で用いられ、時間領域リソース割当のシンボル数をｎＯＦＤＭ  ｓｙｍｂｏｌｓと仮定し、以下の表５に示すように、Ｋ≦ｎ≦Ｎ（Ｎ≧Ｋ）の場合、６４ＱＡＭが固定的に採用され、Ｎ＜ｎ≦Ｍ（Ｍ≧Ｎ）の場合、１６ＱＡＭが固定的に採用され、ｎ＞Ｍの場合、ＱＰＳＫ符号化が採用される。
【００４７】
【表５】
2021519043.tif 000009
【００４８】
本開示のこの実施例は、具体的に実現する場合、ＤＣＩがＳＩ−ＲＮＴＩでスクランブルされるとき、ＤＣＩは、ＲＭＳＩ／ＯＳＩをスケジューリングするために用いられ、ｃｏｍｐａｃｔ  ＤＣＩは、以下のフィールド値を採用する。
Ｆｒｅｑｕｅｎｃｙ  ｄｏｍａｉｎ  ｒｅｓｏｕｒｃｅ  ａｌｌｏｃａｔｉｏｎ（周波数領域リソース割当フィールド）：９ｂｉｔｓ、
ｔｉｍｅ  ｄｏｍａｉｎ  ａｎｄ  ｍｏｄｕｌａｔｉｏｎ  ｓｃｈｅｍｅ（時間領域リソース割当及び変調方式）：５ｂｉｔｓ、
ＴＢ  ｓｉｚｅ  ｉｎｄｉｃａｔｉｏｎ（伝送ブロックサイズ指示フィールド）：３ｂｉｔｓ、
ＨＡＲＱ  ｐｒｏｃｅｓｓ  ｎｕｍｂｅｒ（ハイブリッド自動再送要求プロセス数指示フィールド）：１ｂｉｔ、
ＲＶ（冗長バージョン）：１ｂｉｔ、
ＣＲＣ（巡回冗長検査）：１６ｂｉｔｓ、
Ｆｒｅｑｕｅｎｃｙ  ｄｏｍａｉｎ  ｒｅｓｏｕｒｃｅ  ａｌｌｏｃａｔｉｏｎ（周波数領域リソース割当）：９ｂｉｔｓ、
ｉｎｉｔｉａｌ  ＢＷＰ（初期帯域幅部分）が２４ＲＢｓ内に制限されるとき、周波数領域リソース割当粒度が１ＲＢであり、
ｉｎｉｔｉａｌ  ＢＷＰが４８ＲＢｓに制限される場合、周波数領域リソース割当粒度が２ＲＢｓであり、
ｉｎｉｔｉａｌ  ＢＷＰが９６ＲＢｓ内に制限される場合、周波数領域リソース割当粒度が４ＲＢｓであり、
ｄｏｗｎｌｉｎｋ  ｒｅｓｏｕｒｃｅ  ａｌｌｏｃａｔｉｏｎ  ｔｙｐｅ１（下りリソース割当タイプ１）を採用して割り当てを行う。
【００４９】
Ｔｉｍｅ  ｄｏｍａｉｎ  ａｎｄ  ｍｏｄｕｌａｔｉｏｎ  ｓｃｈｅｍｅ（時間領域リソース割当及び変調方式）：デフォルトの時間領域リソース割当テーブルを設定し、ＳＩの時間領域リソース割当を５ｂｉｔｓで指示し、各コードポイントは、テーブル内の１種の時間領域リソース割当設定を指示する。
【００５０】
ＴＢ  ｓｉｚｅ  ｉｎｄｉｃａｔｉｏｎ（伝送ブロックサイズ指示フィールド）は、５ｂｉｔｓ以下で指示されてよく、例えば、伝送ブロックサイズは、３ｂｉｔｓで指示される。
【００５１】
ここで、ｍｏｄｕｌａｔｉｏｎ  ｏｒｄｅｒ（変調階数）とｔｉｍｅ  ｄｏｍａｉｎ  ｒｅｓｏｕｒｃｅ  ａｌｌｏｃａｔｉｏｎ（時間領域リソース割当）の統合符号化では、時間領域リソース割当のシンボル数をｎＯＦＤＭ  ｓｙｍｂｏｌｓと仮定し、下記の表６に示すように、ｎ＝２の場合には６４ＱＡＭが固定的に採用され、２＜ｎ≦４の場合には１６ＱＡＭが固定的に採用され、ｎ＞４の場合にはＱＰＳＫ符号化が採用される。
【００５２】
【表６】
2021519043.tif 000010
【００５３】
ｔｉｍｅ  ｄｏｍａｉｎ  ｒｅｓｏｕｒｃｅ  ａｌｌｏｃａｔｉｏｎ（時間領域リソース割当）は、ｓｌｏｔ  ｂｏｕｎｄａｒｙ（スロット境界）に対して定義される。
例えば、ＣＯＲＥＳＥＴ（制御リソースセット）、ＲＭＳＩ及びＳＳＢ（同期情報ブロック）が一緒に送信される場合、その時間領域リソース割当の可能な値は、以下である。図４に示すように、低周波数帯域を用いると、ＳＳＢ同期情報ブロックは、１５ＫＨｚ又は３０ＫＨｚのｎｕｍｅｒｏｌｏｇｙ（数字）を採用し、この場合、ＳＳＢとＲＭＳＩは、ＴＤＭ（Ｔｉｍｅ−ｄｉｖｉｓｉｏｎ ｍｕｌｔｉｐｌｅｘｉｎｇ）である。
【００５４】
ＴＤＭの場合、ＲＭＳＩが占有する時間領域リソースとＳＳＢ及びＲＭＳＩをスケジューリングするＣＯＲＥＳＥＴは、異なる時間領域シンボルで送信することを示す。
【００５５】
ＳＳＢとして１５ＫＨｚのＳＣＳ（ｓｕｂ  ｃａｒｒｉｅｒ  ｓｐａｃｉｎｇ（サブキャリア間隔））を採用する場合、１ｓｌｏｔ内に最大２個のＳＳＢを設定することができ、その位置は、図４に示されている。
【００５６】
この場合にＲＭＳＩとして１５ＫＨｚのサブキャリア間隔を採用できるとする。ＳＳＢとＲＭＳＩは、ＴＤＭを採用する。ＲＭＳＩの制御シグナリングが存在するＣＯＲＥＳＥＴの位置は、ＳＳＢの位置から推定され、可能な位置は、図４に示されている。ＲＭＳＩは、図に示されるように、残りの未占有リソースでスケジューリングされる。
【００５７】
その占有リソースが（０，２，＃６）である場合、「０」は、ＰＤＳＣＨが、そのＰＤＳＣＨをスケジューリングするＣＯＲＥＳＥＴとのオフセットが０個のｓｌｏｔであり、すなわち、同じｓｌｏｔで送信することを示す。「２」は、そのＰＤＳＣＨの伝送が２個のＯＦＤＭシンボルを占有することを示す。「＃６」は、そのｓｌｏｔの番号６のシンボル（すなわち、そのｓｌｏｔの７番目のＯＦＤＭシンボル）からＰＤＳＣＨが占有可能であることを示す。
【００５８】
図４に示すように、ＳＳＢとして３０ＫＨｚのＳＣＳを採用し、２つのｓｌｏｔｓ内に４つのＳＳＢを設定することができ、位置は、図示の通りである。ＲＭＳＩが３０ＫＨｚのＳＣＳを採用する場合、その占有可能なリソースは、図示の通りである。占有可能なリソースが（１，４，＃１０）である場合、「１」は、ＰＤＳＣＨが、このＰＤＳＣＨをスケジューリングするＣＯＲＥＳＥＴとのオフセットが１ｓｌｏｔであり、すなわち、ＣＯＲＥＳＥＴが位置するｓｌｏｔの次のｓｌｏｔで伝送することを示す。「４」は、このＰＤＳＣＨの伝送が４つのＯＦＤＭシンボルを占有することを示す。「＃１０」は、そのｓｌｏｔの番号１０のシンボル（すなわち、そのｓｌｏｔの１１番目のＯＦＤＭシンボル）からＰＤＳＣＨが占有可能であることを示す。
【００５９】
図５に示すように、高周波数帯域を採用する場合、ＳＳＢは、１２０ＫＨｚ又は２４０ＫＨｚのｎｕｍｅｒｏｌｏｇｙを採用し、この場合、ＳＳＢとＲＭＳＩは、ＦＤＭ又はＴＤＭである。
【００６０】
ＦＤＭであれば、ＲＭＳＩが占有する時間領域リソースがＳＳＢ時間領域リソース範囲内であり、ＳＳＢとＲＭＳＩとで利用可能な周波数領域リソースが異なるケースを示す。
【００６１】
ＳＳＢのＳＣＳが１２０ＫＨｚであれば、２ｓｌｏｔｓ内で最大４ＳＳＢを伝送することができ、具体的な位置は、図５に示す通りである。ＲＭＳＩが１２０ＫＨｚに設定される場合、その利用可能なリソースは、図に示されるように、（０，２，＃６）、（０，２，＃１０）として示される。
【００６２】
図６に示すように、ＴＤＭであれば、ＲＭＳＩが占有する時間領域リソースとＳＳＢ及びＲＭＳＩをスケジューリングするＣＯＲＥＳＥＴが異なる時間領域シンボルで送信することを示す。ＳＳＢが１２０ＫＨｚのＳＣＳを採用する場合、４ｓｌｏｔ内で最大８ＳＳＢを設定することができ、その位置は、図６に示される通りである。この場合ＲＭＳＩとして１２０ＫＨｚのサブキャリア間隔を採用するとする。ＲＭＳＩが占有可能なリソースは、図のようになる。図４〜図６から明らかなように、利用可能な時間領域リソースは、（０，２，＃２）、（０，２，＃４）、（０，２，＃６）、（０，２，＃８）、（０，２，＃１２）、（１，２，＃０）、（１，２，＃６）、（１，２，＃１０）、（１，２，＃１２）、（１，４，＃１０）の計１０通りの時間領域リソース割当方式に設定される。
【００６３】
ＳＳＢ同期情報ブロックの送信完了後にＲＭＳＩ及びＣＯＲＥＳＥＴ制御リソースセットが再送される場合、ＲＭＳＩの位置は、ＳＳＢの位置に制限されない。
【００６４】
ＣＯＲＥＳＥＴについての可能な位置は、以下の図７に示されるように、３つのケースがある。
Ｎ＝２、Ｍ＝１／２（例えば、図中のｃａｓｅ１及びｃａｓｅ１´）。
Ｎ＝１，Ｍ＝１（例えば図中のｃａｓｅ２。）
Ｎ＝１、Ｍ＝２（例えば図中のｃａｓｅ３。）
Ｎは、１ｓｌｏｔ内の検索空間の数を示し、Ｍは、プロトコルで定義されるパラメータである。Ｍ及びＮから、２つの連続する名義上のＳＳＢ（２つの連続するＳＳＢの間に他のシンボルがあり得る）に対応するＴｙｐｅ  ０共通検索空間のＰＤＣＣＨ監視ウィンドウ間の時間領域相対位置の関係が決定される。
【００６５】
ＣＯＲＥＳＥＴ及びＲＭＳＩが同一のスロット内でスケジューリングされると仮定し、すなわちＫ０＝０の場合、時間領域リソース割当方式は、ＰＤＣＣＨ送信完了後にＰＤＳＣＨを続けて送信することができる設定を考慮する。その時間領域リソース設定は、（０，４，＃２）、（０，４，＃４）、（０，４，＃６）、（０，４，＃１０）、（０，７，＃２）、（０，７，＃４）、（０，７，＃７）、（０，１２，＃２）、（０，１０，＃２）である。
【００６６】
１４シンボルをスケジューリングする場合、Ｋ０＝１とし、時間領域設定は、（１，１４，＃０）である。計１０ケースがある。上記図４〜図６から、計２０ケースがある。以下の表７に示されるように、他のコードポイントは、保留としてもよく、この場合、１つの設定は、１つのコードポイントである。
【００６７】
【表７】
2021519043.tif 000011
2021519043.tif 000012
【００６８】
この実施例では、ＴＢ  ｓｉｚｅ  ｉｎｄｉｃａｔｉｏｎ（伝送ブロックサイズ指示）は、３ｂｉｔｓで指示される。
【００６９】
ＳＩの最小ＴＢＳを０００で示し、ＳＩの最大ＴＢＳを１１１で示す。ＳＩは、下記の表８に示すように、８値に量子化され、各コードポイントのサイズを定義する。
【００７０】
【表８】
2021519043.tif 000013
【００７１】
この実施例では、ＤＣＩがＰ−ＲＮＴＩでスクランブルされるとき、ＤＣＩは、ページング情報（Ｐａｇｉｎｇ）をスケジューリングするために用いられる。ＤＣＩは、以下のフィールド値を採用する。
Ｆｌａｇ（フラグフィールド）：１ｂｉｔ、
Ｆｒｅｑｕｅｎｃｙ  ｄｏｍａｉｎ  ｒｅｓｏｕｒｃｅ  ａｌｌｏｃａｔｉｏｎ（周波数領域リソース割当フィールド）：９ｂｉｔｓ、
ｔｉｍｅ  ｄｏｍａｉｎ  ａｎｄ  ｍｏｄｕｌａｔｉｏｎ  ｓｃｈｅｍｅ（時間領域リソース割当及び変調方式）：４ｂｉｔｓ、
ＣＲＣ（巡回冗長検査領域）：１６ｂｉｔｓ、
Ｆｌａｇは、Ｐａｇｉｎｇ／ｄｉｒｅｃｔ  ｉｎｄｉｃａｔｉｏｎ（直接指示）を区別することに用いられ、０は、ｄｉｒｅｃｔ  ｉｎｄｉｃａｔｉｏｎ直接指示を採用することを示し、１は、ｐａｇｉｎｇ（ページング）を採用することを示す。
【００７２】
Ｆｒｅｑｕｅｎｃｙ  ｄｏｍａｉｎ  ｒｅｓｏｕｒｃｅ  ａｌｌｏｃａｔｉｏｎ（周波数領域リソース割当）：ＢＷＰが２４ＲＢｓに制限される場合、周波数領域リソース割当粒度が１ＲＢであり、ＢＷＰが４８ＲＢｓに制限される場合、周波数領域リソース割当粒度が２ＲＢｓであり、ＢＷＰが９６ＲＢｓに制限される場合、周波数領域リソース割当粒度が４ＲＢｓである。ｄｏｗｎｌｉｎｋ  ｒｅｓｏｕｒｃｅ  ａｌｌｏｃａｔｉｏｎ  ｔｙｐｅ１を採用して割り当てを行う。
【００７３】
本開示の実施例において、時間領域リソース割当及び変調階数の時間領域リソース割当及び変調コマンドは、以下の通りである。１つのテーブルを予め定義し、例えば、デフォルトの１６行の時間領域リソース割当テーブルを設定する。もちろん、このテーブルの設定値は、１６行に限定されるものではない。１６行の場合は、ｐａｇｉｎｇの時間領域リソース割当を４ｂｉｔｓで指示し、各コードポイントは、テーブル内の１種の時間領域リソース割当設定を指示する。
【００７４】
変調階数フィールド及び時間領域リソース割当フィールドは、統合指示方式で用いられる場合、時間領域リソース割当のシンボル数をｎＯＦＤＭ  ｓｙｍｂｏｌｓとし、下記の表９に示すように、ｎ＝２の場合には６４ＱＡＭが固定的に採用され、２＜ｎ≦４の場合には１６ＱＡＭが固定的に採用され、ｎ＞４の場合にはＱＰＳＫ符号が採用される。
【００７５】
【表９】
2021519043.tif 000014
【００７６】
時間領域リソース割当は、以下の設定を採用することができる。１つのテーブルを定義し、このテーブルの設定値は、１６行に限定されない。例えば、１６種類の時間領域リソース割当方式が設定された場合、下記の表１０に示すように、時間領域リソース設定を４ｂｉｔｓで指示する。
【００７７】
【表１０】
2021519043.tif 000015
【００７８】
ＴＢ  ｓｉｚｅ  ｉｎｄｉｃａｔｉｏｎが３ｂｉｔｓで指示する場合、ｐａｇｉｎｇの最小ＴＢＳを０００で示し、ページング情報の最大ＴＢＳを１１１で示す。ページング情報は、８値に量子化され、各コードポイントのサイズを定義する。
【００７９】
【表１１】
2021519043.tif 000016
【００８０】
図８に示すように、本開示の実施例に係る下り制御情報ＤＣＩの伝送方法は、ネットワーク機器に応用され、以下のステップを含む。ステップ８１において、下り制御情報ＤＣＩを伝送するためのＤＣＩフォーマットを決定する。前記ＤＣＩフォーマットは、時間領域リソース割当フィールドとアグリゲーション伝送指示フィールドを含む。又は、前記ＤＣＩフォーマットは、時間領域リソースの設定値及びアグリゲーション伝送指示の設定値を指示する第２指示フィールドを含む。ステップ８２において、前記ＤＣＩフォーマットに基づいて前記ＤＣＩを伝送する。
【００８１】
この実施例において、前記ＤＣＩフォーマットが時間領域リソース割当フィールドとアグリゲーション伝送指示フィールドを含む場合、前記時間領域リソース割当フィールドは、第１種の設定値を指示することに用いられる。前記第１種の設定値は、Ｌ１種の設定値のうちの１種であり、前記Ｌ１種の設定値は、時間領域リソースのすべて又は一部の設定のうちのＬ１種である。ここで、前記第１種の設定値は、１つのＰＤＳＣＨが占有する時間領域シンボル長と１つのオフセット値とを含み、前記オフセット値は、制御リソースセットの開始ＯＦＤＭシンボル又は終了ＯＦＤＭシンボルに対するＰＤＳＣＨのオフセットであり、Ｌ１は、設定された値である。
【００８２】
ここで、前記時間領域リソース割当フィールドの場合、２ビットで指示するが、他の長さのビットで指示することも、もちろん可能である。
【００８３】
具体的に実現する場合、Ｔｉｍｅ  ｄｏｍａｉｎ  ｒｅｓｏｕｒｃｅ  ａｓｓｉｇｎｍｅｎｔ（時間領域リソース割当）が２ｂｉｔｓである場合、ＵＥに対し下記の表１２から４つの設定を選択する。この４つの設定値は、予め定義されてもよいし、上位レイヤシグナリングを介して上位レイヤにより設定されてもよい。時間領域リソース割当が２ｂｉｔｓで指示される場合、この２ｂｉｔｓで指示することは、ＵＥに対し１つの設定値が選択されて設定される。
【００８４】
【表１２】
2021519043.tif 000017
【００８５】
例えば図９に示されるように、テーブルに示されるＬｅｎｇｔｈは、物理下り共有チャネルＰＤＳＣＨが占有する時間領域シンボル長を示し、Ｏｆｆｓｅｔは、ＣＯＲＥＳＥＴ（制御リソースセット）に対するシンボルオフセット値である。
【００８６】
この実施例では、前記ＤＣＩフォーマットが時間領域リソース割当フィールド及びアグリゲーション伝送指示フィールドを含む場合、前記アグリゲーション伝送指示フィールドは、第２種の設定値を指示することに用いられる。前記第２種の設定値は、Ｌ２種の設定値のうちの１種であり、前記Ｌ２種の設定値は、アグリゲーション伝送指示フィールドのすべて又は一部の設定のうちのＬ２種である。ここで、前記第２種の設定値は、１つのアグリゲーションレベルと１つのインターバルを含む。前記インターバルは、アグリゲーション伝送の間の間隔であり、Ｌ２は、設定された値である。
【００８７】
ここで、前記アグリゲーション伝送指示フィールドの単独指示時に、２ビットで指示するが、他の長さのビットで指示することも、もちろん可能である。
【００８８】
具体的に実現する場合、Ａｇｇｒｅｇａｔｉｏｎ  ｔｒａｎｓｍｉｓｓｉｏｎ  ｉｎｄｉｃａｔｉｏｎ（アグリゲーション伝送指示）フィールドの設定では、アグリゲーションレベル（１，２，４，８）とアグリゲーション伝送間の間隔（Ｉｎｔｅｒｖａｌ）を含み、下記の表１３に示すように、下記の表から４つの設定値を選択し、２ｂｉｔｓは、ＵＥに対し１つの設定値を選択して設定することを示す。
【００８９】
【表１３】
2021519043.tif 000018
【００９０】
テーブルにおけるインターバルは、アグリゲーション伝送間の間隔を示し、一例を図１０及び図１１に示す。
【００９１】
この実施例において、前記ＤＣＩフォーマットが第２指示フィールドを含む場合、前記第２指示フィールドによって指示される時間領域リソースの設定値とアグリゲーション伝送指示の設定値は、第３種の設定値を含む。前記第３種の設定値は、Ｌ３種の設定値のうちの１種であり、前記Ｌ３種の設定値は、時間領域リソースフィールドとアグリゲーション伝送指示フィールドのすべて又は一部の設定のうちのＬ３種である。ここで、前記第３種の設定値は、１つの物理下り共有チャネルが占有する時間領域シンボル長と、１つのオフセット値と、１つのアグリゲーションレベルと、１つのアグリゲーション伝送の間のインターバルを含み、Ｌ３は、設定された値である。
【００９２】
具体的に実現する場合、ＵＥに対し、上位レイヤシグナリングによって、予め定義されたサイズに基づいて１つのテーブルを設定する。下記の表１４に示すように、例えばＲＲＣによってＵＥに対し４ｂｉｔｓで指示される１６の設定値を設定する。
【００９３】
【表１４】
2021519043.tif 000019
【００９４】
図１２に示すように、本開示の実施例に係る下り制御情報ＤＣＩの伝送方法は、ネットワーク機器に応用され、以下のステップを含む。ステップ１２１において、下り制御情報ＤＣＩを伝送するためのＤＣＩフォーマットを決定する。前記ＤＣＩフォーマットは、時間領域リソース割当フィールドとアグリゲーション伝送指示フィールドを含み、又は、前記ＤＣＩフォーマットは、時間領域リソースの設定値及びアグリゲーション伝送指示の設定値を指示する第２指示フィールドを含む。前記ＤＣＩフォーマットは、ＤＣＩフォーマット識別子フィールド、周波数領域リソース割当フィールド、仮想リソースブロックＶＲＢ−物理リソースブロックＰＲＢマッピングフィールド、変調符号化方式フィールド、新規データ指示フィールド、冗長バージョンフィールド、ハイブリッド自動再送ＨＡＲＱプロセス数指示フィールド、下りリンク割当インデックス指示フィールド、物理上り制御チャネルＰＵＣＣＨの伝送電力制御ＴＰＣ指示フィールド、ＰＵＣＣＨリソース指示フィールド、物理下り共有チャネルＰＤＳＣＨ−ＨＡＲＱのフィードバック時間指示フィールド、及び巡回冗長検査フィールドの少なくとも１つを更に含む。ステップ１２２において、前記ＤＣＩフォーマットに基づいて前記ＤＣＩを伝送する。
【００９５】
具体的に実現する場合、ＤＣＩがＣ−ＲＮＴＩでスクランブルされるとき、ＤＣＩは、ＵＲＬＬＣシーンにおけるデータスケジューリングに用いられ、時間領域リソース割当フィールド及びアグリゲーション伝送フィールドは、それぞれ指示し、そのフィールド値は、以下に示される通りである。
Ｉｄｅｎｔｉｆｉｅｒ  ｆｏｒ  ＤＣＩ  ｆｏｒｍａｔｓ  ＤＣＩ（ＤＣＩフォーマット識別子）：１ｂｉｔ、
Ｆｒｅｑｕｅｎｃｙ  ｄｏｍａｉｎ  ｒｅｓｏｕｒｃｅ  ａｓｓｉｇｎｍｅｎｔ（周波数領域リソース割当）：Ｘｂｉｔｓ、
Ｔｉｍｅ  ｄｏｍａｉｎ  ｒｅｓｏｕｒｃｅ  ａｓｓｉｇｎｍｅｎｔ（時間領域リソース割当）：２ｂｉｔｓ、
Ａｇｇｒｅｇａｔｉｏｎ  ｔｒａｎｓｍｉｓｓｉｏｎ  ｉｎｄｉｃａｔｉｏｎ（アグリゲーション伝送指示）：２ｂｉｔｓ、
ＶＲＢ−ｔｏ−ＰＲＢ  ｍａｐｐｉｎｇ（ＶＲＢ―ＰＲＢマッピング）：１ｂｉｔ、
Ｍｏｄｕｌａｔｉｏｎ  ａｎｄ  ｃｏｄｉｎｇ  ｓｃｈｅｍｅ（変調符号化方式）：２ｂｉｔｓ、
Ｎｅｗ  ｄａｔａ  ｉｎｄｉｃａｔｏｒ（新規データ指示）：１ｂｉｔ、
Ｒｅｄｕｎｄａｎｃｙ  ｖｅｒｓｉｏｎ（冗長バージョン）：１ｂｉｔ、
ＨＡＲＱ  ｐｒｏｃｅｓｓ  ｎｕｍｂｅｒ（ＨＡＲＱプロセス数）：２ｂｉｔｓ、
Ｄｏｗｎｌｉｎｋ  Ａｓｓｉｇｎｍｅｎｔ  Ｉｎｄｅｘ（下り割り当てインデックス）：０ｂｉｔ、
ＴＰＣ  ｃｏｍｍａｎｄ  ｆｏｒ  ＰＵＣＣＨ（ＰＵＣＣＨの送信電力制御コマンド）：２ｂｉｔｓ、
ＰＵＣＣＨ  ｒｅｓｏｕｒｃｅ  ｉｎｄｉｃａｔｏｒ（ＰＵＣＣＨリソース指示）：２ｂｉｔｓ、
ＰＤＳＣＨ−ｔｏ−ＨＡＲＱ  ｆｅｅｄｂａｃｋ  ｔｉｍｉｎｇ  ｉｎｄｉｃａｔｏｒ（ＰＤＳＣＨ―ＨＡＲＱフィードバック時間指示）：１ｂｉｔ、
ＣＲＣ（巡回冗長検査）、
ここで、ＰＤＳＣＨ−ｔｏ−ＨＡＲＱ＿ｆｅｅｄｂａｃｋ  ｔｉｍｉｎｇ  ｉｎｄｉｃａｔｏｒ：１ｂｉｔ。一つの状態は、ＰＤＳＣＨとＨＡＲＱ−ａｃｋが同じスロットで伝送されることを示し、もう一つの状態は、ＨＡＲＱ−ａｃｋが、ＰＤＳＣＨが存在するスロットのすぐ後のスロットで伝送されることを示す。
【００９６】
ＤＣＩがＣ−ＲＮＴＩでスクランブルされるとき、ＤＣＩは、ＵＲＬＬＣシーンにおけるデータのスケジューリングに用いられ、時間領域リソース割当フィールド及びアグリゲーション伝送フィールドは、統合的に指示し、そのフィールド値は、以下に示される通りである。
Ｉｄｅｎｔｉｆｉｅｒ  ｆｏｒ  ＤＣＩ  ｆｏｒｍａｔｓ（ＤＣＩフォーマット識別子）：１ｂｉｔ、
Ｆｒｅｑｕｅｎｃｙ  ｄｏｍａｉｎ  ｒｅｓｏｕｒｃｅ  ａｓｓｉｇｎｍｅｎｔ（周波数領域リソース割当）：Ｘｂｉｔ、
Ｔｉｍｅ  ｄｏｍａｉｎ  ｒｅｓｏｕｒｃｅ  ａｓｓｉｇｎｍｅｎｔ＆ａｇｇｒｅｇａｔｉｏｎ  ｔｒａｎｓｍｉｓｓｉｏｎ  ｉｎｄｉｃａｔｉｏｎ（時間領域リソース割当及びアグリゲーション伝送指示）：４ｂｉｔｓ、
ＶＲＢ−ｔｏ−ＰＲＢ  ｍａｐｐｉｎｇ（ＶＲＢ―ＰＲＢマッピング）：１ｂｉｔ、
Ｍｏｄｕｌａｔｉｏｎ  ａｎｄ  ｃｏｄｉｎｇ  ｓｃｈｅｍｅ（変調符号化方式）：２ｂｉｔｓ、
Ｎｅｗ  ｄａｔａ  ｉｎｄｉｃａｔｏｒ（新規データ指示）：１ｂｉｔ、
Ｒｅｄｕｎｄａｎｃｙ  ｖｅｒｓｉｏｎ（冗長バージョン）：１ｂｉｔ、
ＨＡＲＱ  ｐｒｏｃｅｓｓ  ｎｕｍｂｅｒ（ＨＡＲＱプロセス数）：２ｂｉｔｓ、
Ｄｏｗｎｌｉｎｋ  Ａｓｓｉｇｎｍｅｎｔ  Ｉｎｄｅｘ（下り割り当てインデックス）：０ｂｉｔ、
ＴＰＣ  ｃｏｍｍａｎｄ  ｆｏｒ  ＰＵＣＣＨ（ＰＵＣＣＨの送信電力制御コマンド）：２ｂｉｔｓ、
ＰＵＣＣＨ  ｒｅｓｏｕｒｃｅ  ｉｎｄｉｃａｔｏｒ（ＰＵＣＣＨリソース指示）：２ｂｉｔｓ、
ＰＤＳＣＨ−ｔｏ−ＨＡＲＱ  ｆｅｅｄｂａｃｋ  ｔｉｍｉｎｇ  ｉｎｄｉｃａｔｏｒ（ＰＤＳＣＨ―ＨＡＲＱフィードバック時間指示）：１ｂｉｔ、
ＣＲＣ（巡回冗長検査）、
ここで、ＰＤＳＣＨ−ｔｏ−ＨＡＲＱ＿ｆｅｅｄｂａｃｋ  ｔｉｍｉｎｇ  ｉｎｄｉｃａｔｏｒは、１ｂｉｔである。１つの状態は、ＰＤＳＣＨとＨＡＲＱ−ａｃｋが同じｓｌｏｔで伝送されることを示し、もう１つの状態は、ＨＡＲＱ−ａｃｋが、ＰＤＳＣＨが存在するｓｌｏｔのすぐ後のｓｌｏｔで伝送されることを示す。
【００９７】
ＤＣＩがＣ−ＲＮＴＩでスクランブルされるとき、ＤＣＩは、ＵＲＬＬＣシーンにおける下りリンクデータのスケジューリングに用いられ、時間領域リソース割当フィールド及びアグリゲーション伝送フィールドは、統合的に指示し、そのフィールド値は、以下に示される。
Ｉｄｅｎｔｉｆｉｅｒ  ｆｏｒ  ＤＣＩ  ｆｏｒｍａｔｓ（ＤＣＩフォーマット識別子）：１ｂｉｔ、
Ｆｒｅｑｕｅｎｃｙ  ｄｏｍａｉｎ  ｒｅｓｏｕｒｃｅ  ａｓｓｉｇｎｍｅｎｔ（周波数領域リソース割当）：Ｘｂｉｔ、
Ｍｏｄｕｌａｔｉｏｎ  ａｎｄ  ｃｏｄｉｎｇ  ｓｃｈｅｍｅ（変調符号化方式）：２ｂｉｔｓ、
【００９８】
ＤＣＩがＣ−ＲＮＴＩでスクランブルされるとき、ＤＣＩは、ＵＲＬＬＣシーンにおける上りリンクデータのスケジューリングに用いられ、時間領域リソース割当フィールド及びアグリゲーション伝送フィールドは、統合的に指示し、そのフィールド値は、以下に示す通りである。
Ｉｄｅｎｔｉｆｉｅｒ  ｆｏｒ  ＤＣＩ  ｆｏｒｍａｔｓ（ＤＣＩフォーマット識別子）：１ｂｉｔ、
Ｆｒｅｑｕｅｎｃｙ  ｄｏｍａｉｎ  ｒｅｓｏｕｒｃｅ  ａｓｓｉｇｎｍｅｎｔ（周波数領域リソース割当）：Ｘｂｉｔ、
Ｍｏｄｕｌａｔｉｏｎ  ａｎｄ  ｃｏｄｉｎｇ  ｓｃｈｅｍｅ（変調符号化方式）：２ｂｉｔｓ。
【００９９】
本開示の上記実施例における方法は、時間領域リソース割当フィールド、変調階数フィールド、及びアグリゲーション伝送指示フィールドのうちの少なくとも１つをＤＣＩに追加し、且つ時間領域リソース割当フィールドと変調階数フィールドが統合的に指示し、又は、時間領域リソース割当フィールド及びアグリゲーション伝送指示が統合的に指示することによって、ＤＣＩの負荷を低減し、限られたリソース設定の下で、ＰＤＣＣＨの符号化率を低減し、ＰＤＣＣＨのカバレッジを向上させる。ＤＣＩがＳＩ／ｐａｇｉｎｇをスケジューリングするために使用される場合、ＳＩ／ｐａｇｉｎｇをスケジューリングするためのＤＣＩのカバレッジを向上させることができ、ＳＩ／ｐａｇｉｎｇスペクトル効率を向上させるとともに、符号化率を減少させることもできる。ＤＣＩがＵＲＬＬＣシーンにおけるＰＤＳＣＨ／ＰＵＳＣＨ伝送のスケジューリングに用いられる場合、ＤＣＩ伝送の信頼性を向上させることができる。
【０１００】
なお、本開示の上記実施例において、テーブルに記載された設定値は、あくまでも一例であり、設定値の全てが含まれるものではなく、且つ具体的な設定値の大きさもテーブルに記載された数値に限定されるものではない。本開示の上記実施例において、挙げたＤＣＩの各フィールドが指示する場合、用いられる具体的なビット長は、上記実施例に挙げた数値に限定されず、他の長さのビットで指示されてもよく、又は他の指示方式で指示されてもよい。
【０１０１】
以上の実施例は、異なるシーンにおけるＤＣＩの伝送方法をそれぞれ詳細に紹介したが、以下、本実施例は、それに対応する装置及び機器について、図面を参照して更に紹介する。
【０１０２】
図１３に示すように、本開示の実施例に係る下り制御情報ＤＣＩの伝送装置１３０は、上記すべての実施例に記載したＤＣＩの伝送方法の細部を実現し、同じ効果を奏することもできる。このＤＣＩの伝送装置１３０は、具体的には、時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するための処理モジュール１３１と、前記ＤＣＩフォーマットに基づいて前記ＤＣＩを伝送するための送受信モジュール１３２とを含む。
【０１０３】
この実施例において、前記第１指示フィールドによって指示される時間領域リソースの設定値は、時間領域リソースフィールドによって指示されるＯＦＤＭシンボル数を含み、前記第１指示フィールドによって指示される変調階数の設定値は、時間領域リソースフィールドによって指示されるＯＦＤＭシンボル数に基づいて決定される前記変調階数を含む。
【０１０４】
ここで、Ｋ≦ｎ≦Ｎの場合、時間領域リソースフィールドによって指示されるＯＦＤＭシンボル数に基づいて決定される前記変調階数は、第１タイプの符号化方式である。ここで、ｎは、前記時間領域リソース割当フィールドによって指示されるＯＦＤＭシンボル数であり、且つＮ≧Ｋであり、Ｎ、Ｋは、設定された値又は予め設定された一定値である。
【０１０５】
ここで、Ｎ＜ｎ≦Ｍの場合、時間領域リソースフィールドによって指示されるＯＦＤＭシンボル数に基づいて決定される前記変調階数は、第２タイプの符号化方式である。ここで、ｎは、前記時間領域リソース割当フィールドによって指示されるＯＦＤＭシンボル数であり、且つＭ≧Ｎであり、Ｎ、Ｍは、設定された値又は予め設定された一定値である。
【０１０６】
ここで、ｎ＞Ｍの場合、時間領域リソースフィールドによって指示されるＯＦＤＭシンボル数に基づいて決定される前記変調階数は、第３タイプの符号化方式である。ここで、ｎは、前記時間領域リソース割当フィールドによって指示されるＯＦＤＭシンボル数であり、Ｍは、設定された値又は予め設定された一定値である。
【０１０７】
ここで、ｎ＝Ｌの場合、時間領域リソースフィールドによって指示されるＯＦＤＭシンボル数に基づいて決定される前記変調階数は、第４タイプの符号化方式である。ここで、ｎは、前記時間領域リソース割当フィールドによって指示されるＯＦＤＭシンボル数であり、Ｌは、設定された値又は予め設定された一定値である。
【０１０８】
ここの第１タイプの符号化方式、第２タイプの符号化方式、第３タイプの符号化方式、第４タイプの符号化方式は、それぞれ１６ＱＡＭ、６４ＱＡＭ、ＱＰＳＫのいずれでもよく、もちろんこれらの符号化方式に限定されるものではない。
【０１０９】
この実施例では、前記ＤＣＩは、フラグフィールド、周波数領域リソース割当フィールド、ハイブリッド自動再送要求ＨＡＲＱプロセス数指示フィールド、冗長バージョンフィールド、伝送ブロックサイズ指示フィールド、及び巡回冗長検査フィールドの少なくとも１つを更に含む。
【０１１０】
本開示の別の具体的な実施例において、前記時間領域リソース割当フィールドは、第１種の設定値を指示することに用いられる。前記第１種の設定値は、Ｌ１種の設定値のうちの１種であり、前記Ｌ１種の設定値は、時間領域リソースのすべて又は一部の設定のうちのＬ１種である。ここで、前記第１種の設定値は、１つのＰＤＳＣＨが占有する時間領域シンボル長と１つのオフセット値とを含む。前記オフセット値は、制御リソースセットの開始ＯＦＤＭシンボル又は終了ＯＦＤＭシンボルに対するＰＤＳＣＨのオフセットである。Ｌ１は、設定された値である。
【０１１１】
ここで、前記アグリゲーション伝送指示フィールドは、第２種の設定値を指示することに用いられる。前記第２種の設定値は、Ｌ２種の設定値のうちの１種であり、前記Ｌ２種の設定値は、アグリゲーション伝送指示フィールドのすべて又は一部の設定のうちのＬ２種である。ここで、前記第２種の設定値は、１つのアグリゲーションレベルと１つのインターバルを含む。前記インターバルは、アグリゲーション伝送の間の間隔である。Ｌ２は、設定された値である。
【０１１２】
ここで、前記第２指示フィールドによって指示される時間領域リソースの設定値とアグリゲーション伝送指示の設定値は、第３種の設定値を含む。前記第３種の設定値は、Ｌ３種の設定値のうちの１種であり、前記Ｌ３種の設定値は、時間領域リソースフィールドとアグリゲーション伝送指示フィールドのすべて又は一部の設定のうちのＬ３種である。ここで、前記第３種の設定値は、１つの物理下り共有チャネルが占有する時間領域シンボル長と、１つのオフセット値と、１つのアグリゲーションレベルと、１つのアグリゲーション伝送の間のインターバルを含む。Ｌ３は、設定された値である。
【０１１３】
この実施例において、前記ＤＣＩは、ＤＣＩフォーマット識別子フィールド、周波数領域リソース割当フィールド、仮想リソースブロックＶＲＢ−物理リソースブロックＰＲＢマッピングフィールド、変調符号化方式フィールド、新規データ指示フィールド、冗長バージョンフィールド、ハイブリッド自動再送ＨＡＲＱプロセス数指示フィールド、下りリンク割当インデックス指示フィールド、物理上り制御チャネルＰＵＣＣＨの伝送電力制御ＴＰＣ指示フィールド、ＰＵＣＣＨリソース指示フィールド、物理下り共有チャネルＰＤＳＣＨ−ＨＡＲＱのフィードバック時間指示フィールド、及び巡回冗長検査フィールドの少なくとも１つを更に含む。
【０１１４】
なお、本開示の実施例に係るＤＣＩの伝送装置は、上記方法と同一の実現手段を採用しており、上記方法におけるすべての実現方式がいずれもこの装置の実施例に適用し、同じ技術効果を達成することもできる。
【０１１５】
上記目的を更に実現するために、図１４に示すように、本開示の実施例は、ネットワーク機器１４０を更に提供する。ネットワーク機器１４０は、時間領域リソース割当フィールド、アグリゲーション伝送指示フィールド、第１指示フィールド又は第２指示フィールドを含み、下り制御情報ＤＣＩを伝送するためのＤＣＩフォーマットを決定するためのプロセッサ１４１と、前記ＤＣＩフォーマットに基づいて前記ＤＣＩを伝送するためのトランシーバとを含む。第１指示フィールドが、時間領域リソースの設定値及び変調階数の設定値を指示し、第２指示フィールドが、時間領域リソースの設定値及びアグリゲーション伝送指示の設定値を指示する。このトランシーバは、具体的には、アンテナとラジオ周波数装置などを含む。
【０１１６】
このネットワーク機器は、アンテナ１４３と、ラジオ周波数装置１４４と、ベースバンド装置１４５を更に含む。アンテナ１４３は、ラジオ周波数装置１４４に接続される。上り方向では、ラジオ周波数装置１４４は、アンテナ１４３を介して情報を受信し、受信した情報をベースバンド装置１４５に送信して処理する。下り方向では、ベースバンド装置１４５は、送信すべき情報を処理してラジオ周波数装置１４４に送信する。ラジオ周波数装置１４４は、受信した情報を処理してアンテナ１４３を介して送信する。
【０１１７】
上記ＤＣＩの伝送装置は、ベースバンド装置１４５に位置してもよく、上記実施例でネットワーク機器によって実行される方法は、ベースバンド装置１４５で実現可能である。このベースバンド装置１４５は、プロセッサ１４１とメモリ１４２を含む。
【０１１８】
ベースバンド装置１４５は、例えば少なくとも１つのベースバンドボードを含む。このベースバンドボードには、複数のチップが設けられている。図１４に示すように、そのうちの１つのチップは、例えばプロセッサ１４１である。プロセッサ１４１は、メモリ１４２に接続され、メモリ１４２の中のプログラムを呼び出すことによって、上記実施例に示される操作を実行する。
【０１１９】
このベースバンド装置１４５は、ラジオ周波数装置１４４との情報のやり取りに用いられるネットワークインターフェース１４６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【０１２０】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数の特定の集積回路、例えば１つ又は複数のマイクロプロセッサ、１つ又は複数のＤＳＰ、又は１つ又は複数のフィールドプログラマブルゲートアレイＦＰＧＡなどである。記憶素子は、１つのメモリであってもよく、複数の記憶素子の総称であってもよい。
【０１２１】
メモリ１４２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のメモリ１４２は、これらに限られず、これら及びこれら以外の任意の適合する種類のメモリを含むものとする。
【０１２２】
本開示の実施例は、プロセッサと、メモリと、メモリに記憶され、プロセッサで動作可能なコンピュータプログラムとを含むネットワーク機器を更に提供し、プロセッサは、コンピュータプログラムを実行すると、上記の下り制御情報ＤＣＩの伝送方法のステップを実現する。
【０１２３】
本開示の実施例のネットワーク機器は、メモリに記憶され、プロセッサで動作可能なコンピュータプログラムを更に含む。プロセッサは、メモリの中のコンピュータプログラムを呼び出して、図１３に示す各モジュールによって実行される方法を実行する。
【０１２４】
具体的には、コンピュータプログラムがプロセッサ１４１によって呼び出されると、上記のＤＣＩの伝送方法のステップを実行するために用いられる。
【０１２５】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１２６】
本開示の実施例におけるネットワーク機器に設定されるＤＣＩは、ＤＣＩがＳＩ／ｐａｇｉｎｇをスケジューリングするために使用される場合、ＳＩ／ｐａｇｉｎｇをスケジューリングするためのＤＣＩのカバレッジを向上させることができ、ＳＩ／ｐａｇｉｎｇスペクトル効率を向上さるとともに、符号化率を減少させ、ＳＩ／ｐａｇｉｎｇのカバレッジを向上させることができる。ＤＣＩがＵＲＬＬＣシーンにおけるＰＤＳＣＨ／ＰＵＳＣＨ伝送のスケジューリングに用いられる場合、ＤＣＩ伝送の信頼性を向上させることができる。
【０１２７】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアで処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【０１２８】
例えば、上記モジュールは、上記方法を実施するように構成された１つ又は複数の集積回路、例えば、１つ又は複数の特定の集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、１つ又は複数のマイクロプロセッサＤＳＰ（ｄｉｇｉｔａｌ  ｓｉｇｎａｌ  ｐｒｏｃｅｓｓｏｒ）、又は１つ又は複数のフィールドプログラマブルゲートアレイＦＰＧＡ（Ｆｉｅｌｄ  Ｐｒｏｇｒａｍｍａｂｌｅ  Ｇａｔｅ  Ａｒｒａｙ）などである。また、上記モジュールが、処理素子でプログラムコードを呼び出す形態で実現される場合、この処理素子は、中央処理装置ＣＰＵ（Ｃｅｎｔｒａｌ  Ｐｒｏｃｅｓｓｉｎｇ  Ｕｎｉｔ）などの汎用プロセッサ、又は、プログラムコードを呼び出すことができる他のプロセッサである。また、これらのモジュールは、一体化されてシステムオンチップＳＯＣ（ｓｙｓｔｅｍ−ｏｎ−ａ−ｃｈｉｐ）の形態で実現されてもよい。
【０１２９】
前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど等である。
【０１３０】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１３１】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１３２】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１３３】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【０１３４】
また、本開示の各実施例における各機能的ユニットは、１つの処理ユニットに一体化されていてもよいし、物理的に別々に設けられていてもよいし、２つ以上が一体化されてもよい。
【０１３５】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１３６】
なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されることが理解できる。これは、当業者が本開示の説明を閲読して基本的なプログラミング技能を活用して実現できることである。
【０１３７】
従って、本開示の目的は、任意の計算装置で１つ又は一連のプログラムを実行することによっても実現される。前記計算装置は、周知されている汎用装置である。従って、本開示の目的は、前記方法又は装置を実現するプログラムコードを含むプログラムプロダクトの提供のみでも実現される。すなわち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発される任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１３８】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021519043.tif 000020
【図２】
2021519043.tif 000021
【図３】
2021519043.tif 000022
【図４】
2021519043.tif 000023
【図５】
2021519043.tif 000024
【図６】
2021519043.tif 000025
【図７】
2021519043.tif 000026
【図８】
2021519043.tif 000027
【図９】
2021519043.tif 000028
【図１０】
2021519043.tif 000029
【図１１】
2021519043.tif 000030
【図１２】
2021519043.tif 000031
【図１３】
2021519043.tif 000032
【図１４】
2021519043.tif 000033
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
ネットワーク機器に応用される下り制御情報ＤＣＩの伝送方法であって、
時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定することと、
前記ＤＣＩフォーマットに基づいて前記ＤＣＩを伝送することとを含む、下り制御情報ＤＣＩの伝送方法。
【請求項２】
前記第１指示フィールドによって指示される時間領域リソースの設定値は、時間領域リソースフィールドによって指示されるＯＦＤＭシンボル数を含み、
前記第１指示フィールドによって指示される変調階数の設定値は、時間領域リソースフィールドによって指示されるＯＦＤＭシンボル数に基づいて決定される前記変調階数を含む、請求項１に記載のＤＣＩの伝送方法。
【請求項３】
Ｋ≦ｎ≦Ｎの場合、時間領域リソースフィールドによって指示されるＯＦＤＭシンボル数に基づいて決定される前記変調階数は、第１タイプの符号化方式であり、
ここで、ｎは、前記時間領域リソース割当フィールドによって指示されるＯＦＤＭシンボル数であり、且つＮ≧Ｋであり、Ｎ、Ｋは、設定された値又は予め設定された一定値であり、
又は
Ｎ＜ｎ≦Ｍの場合、時間領域リソースフィールドによって指示されるＯＦＤＭシンボル数に基づいて決定される前記変調階数は、第２タイプの符号化方式であり、
ここで、ｎは、前記時間領域リソース割当フィールドによって指示されるＯＦＤＭシンボル数であり、且つＭ≧Ｎであり、Ｎ、Ｍは、設定された値又は予め設定された一定値であり、
又は
ｎ＞Ｍの場合、時間領域リソースフィールドによって指示されるＯＦＤＭシンボル数に基づいて決定される前記変調階数は、第３タイプの符号化方式であり、
ここで、ｎは、前記時間領域リソース割当フィールドによって指示されるＯＦＤＭシンボル数であり、Ｍは、設定された値又は予め設定された一定値であり、
又は
ｎ＝Ｌの場合、時間領域リソースフィールドによって指示されるＯＦＤＭシンボル数に基づいて決定される前記変調階数は、第４タイプの符号化方式であり、
ここで、ｎは、前記時間領域リソース割当フィールドによって指示されるＯＦＤＭシンボル数であり、Ｌは、設定された値又は予め設定された一定値である、請求項２に記載のＤＣＩの伝送方法。
【請求項４】
前記ＤＣＩは、フラグフィールド、周波数領域リソース割当フィールド、ハイブリッド自動再送要求ＨＡＲＱプロセス数指示フィールド、冗長バージョンフィールド、伝送ブロックサイズ指示フィールド、及び巡回冗長検査フィールドの少なくとも１つを更に含む、請求項２又は３に記載のＤＣＩの伝送方法。
【請求項５】
前記時間領域リソース割当フィールドは、第１種の設定値を指示することに用いられ、
前記第１種の設定値は、Ｌ１種の設定値のうちの１種であり、前記Ｌ１種の設定値は、時間領域リソースのすべて又は一部の設定のうちのＬ１種であり、
ここで、前記第１種の設定値は、１つのＰＤＳＣＨが占有する時間領域シンボル長と１つのオフセット値とを含み、前記オフセット値は、制御リソースセットの開始ＯＦＤＭシンボル又は終了ＯＦＤＭシンボルに対するＰＤＳＣＨのオフセットであり、Ｌ１は、設定された値であり、
又は
前記アグリゲーション伝送指示フィールドは、第２種の設定値を指示することに用いられ、
前記第２種の設定値は、Ｌ２種の設定値のうちの１種であり、前記Ｌ２種の設定値は、アグリゲーション伝送指示フィールドのすべて又は一部の設定のうちのＬ２種であり、
ここで、前記第２種の設定値は、１つのアグリゲーションレベルと１つのインターバルを含み、前記インターバルは、アグリゲーション伝送の間の間隔であり、Ｌ２は、設定された値であり、
又は
前記第２指示フィールドによって指示される時間領域リソースの設定値とアグリゲーション伝送指示の設定値は、第３種の設定値を含み、
前記第３種の設定値は、Ｌ３種の設定値のうちの１種であり、前記Ｌ３種の設定値は、時間領域リソースフィールドとアグリゲーション伝送指示フィールドのすべて又は一部の設定のうちのＬ３種であり、
ここで、前記第３種の設定値は、１つの物理下り共有チャネルが占有する時間領域シンボル長と、１つのオフセット値と、１つのアグリゲーションレベルと、アグリゲーション伝送の間の１つのインターバルを含み、Ｌ３は、設定された値である、請求項１に記載のＤＣＩの伝送方法。
【請求項６】
前記ＤＣＩは、ＤＣＩフォーマット識別子フィールド、周波数領域リソース割当フィールド、仮想リソースブロックＶＲＢ−物理リソースブロックＰＲＢマッピングフィールド、変調符号化方式フィールド、新規データ指示フィールド、冗長バージョンフィールド、ハイブリッド自動再送ＨＡＲＱプロセス数指示フィールド、下りリンク割当インデックス指示フィールド、物理上り制御チャネルＰＵＣＣＨの伝送電力制御ＴＰＣ指示フィールド、ＰＵＣＣＨリソース指示フィールド、物理下り共有チャネルＰＤＳＣＨ−ＨＡＲＱのフィードバック時間指示フィールド、及び巡回冗長検査フィールドの少なくとも１つを更に含む、請求項５に記載のＤＣＩの伝送方法。
【請求項７】
ネットワーク機器に応用される下り制御情報ＤＣＩの伝送装置であって、
時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するための処理モジュールと、
前記ＤＣＩフォーマットに基づいて前記ＤＣＩを伝送するための送受信モジュールとを含む、下り制御情報ＤＣＩの伝送装置。
【請求項８】
前記第１指示フィールドによって指示される時間領域リソースの設定値は、時間領域リソースフィールドによって指示されるＯＦＤＭシンボル数を含み、
前記第１指示フィールドによって指示される変調階数の設定値は、時間領域リソースフィールドによって指示されるＯＦＤＭシンボル数に基づいて決定される前記変調階数を含む、請求項７に記載のＤＣＩの伝送装置。
【請求項９】
Ｋ≦ｎ≦Ｎの場合、時間領域リソースフィールドによって指示されるＯＦＤＭシンボル数に基づいて決定される前記変調階数は、第１タイプの符号化方式であり、
ここで、ｎは、前記時間領域リソース割当フィールドによって指示されるＯＦＤＭシンボル数であり、且つＮ≧Ｋであり、Ｎ、Ｋは、設定された値又は予め設定された一定値であり、
又は
Ｎ＜ｎ≦Ｍの場合、時間領域リソースフィールドによって指示されるＯＦＤＭシンボル数に基づいて決定される前記変調階数は、第２タイプの符号化方式であり、
ここで、ｎは、前記時間領域リソース割当フィールドによって指示されるＯＦＤＭシンボル数であり、且つＭ≧Ｎであり、Ｎ、Ｍは、設定された値又は予め設定された一定値であり、
又は
ｎ＞Ｍの場合、時間領域リソースフィールドによって指示されるＯＦＤＭシンボル数に基づいて決定される前記変調階数は、第３タイプの符号化方式であり、
ここで、ｎは、前記時間領域リソース割当フィールドによって指示されるＯＦＤＭシンボル数であり、Ｍは、設定された値又は予め設定された一定値であり、
又は
ｎ＝Ｌの場合、時間領域リソースフィールドによって指示されるＯＦＤＭシンボル数に基づいて決定される前記変調階数は、第４タイプの符号化方式であり、
ここで、ｎは、前記時間領域リソース割当フィールドによって指示されるＯＦＤＭシンボル数であり、Ｌは、設定された値又は予め設定された一定値である、請求項８に記載のＤＣＩの伝送装置。
【請求項１０】
前記ＤＣＩは、フラグフィールド、周波数領域リソース割当フィールド、ハイブリッド自動再送要求ＨＡＲＱプロセス数指示フィールド、冗長バージョンフィールド、伝送ブロックサイズ指示フィールド、及び巡回冗長検査フィールドの少なくとも１つを更に含む、請求項８又は９に記載のＤＣＩの伝送装置。
【請求項１１】
前記時間領域リソース割当フィールドは、第１種の設定値を指示することに用いられ、
前記第１種の設定値は、Ｌ１種の設定値のうちの１種であり、前記Ｌ１種の設定値は、時間領域リソースのすべて又は一部の設定のうちのＬ１種であり、
ここで、前記第１種の設定値は、１つのＰＤＳＣＨが占有する時間領域シンボル長と１つのオフセット値とを含み、前記オフセット値は、制御リソースセットの開始ＯＦＤＭシンボル又は終了ＯＦＤＭシンボルに対するＰＤＳＣＨのオフセットであり、Ｌ１は、設定された値である、請求項７に記載のＤＣＩの伝送装置。
【請求項１２】
前記アグリゲーション伝送指示フィールドは、第２種の設定値を指示することに用いられ、
前記第２種の設定値は、Ｌ２種の設定値のうちの１種であり、前記Ｌ２種の設定値は、アグリゲーション伝送指示フィールドのすべて又は一部の設定のうちのＬ２種であり、
ここで、前記第２種の設定値は、１つのアグリゲーションレベルと１つのインターバルを含み、前記インターバルは、アグリゲーション伝送の間の間隔であり、Ｌ２は、設定された値である、請求項７に記載のＤＣＩの伝送装置。
【請求項１３】
前記第２指示フィールドによって指示される時間領域リソースの設定値とアグリゲーション伝送指示の設定値は、第３種の設定値を含み、
前記第３種の設定値は、Ｌ３種の設定値のうちの１種であり、前記Ｌ３種の設定値は、時間領域リソースフィールドとアグリゲーション伝送指示フィールドのすべて又は一部の設定のうちのＬ３種であり、
ここで、前記第３種の設定値は、１つの物理下り共有チャネルが占有する時間領域シンボル長と、１つのオフセット値と、１つのアグリゲーションレベルと、アグリゲーション伝送の間の１つのインターバルを含み、Ｌ３は、設定された値である、請求項７に記載のＤＣＩの伝送装置。
【請求項１４】
前記ＤＣＩは、ＤＣＩフォーマット識別子フィールド、周波数領域リソース割当フィールド、仮想リソースブロックＶＲＢ−物理リソースブロックＰＲＢマッピングフィールド、変調符号化方式フィールド、新規データ指示フィールド、冗長バージョンフィールド、ハイブリッド自動再送ＨＡＲＱプロセス数指示フィールド、下りリンク割当インデックス指示フィールド、物理上り制御チャネルＰＵＣＣＨの伝送電力制御ＴＰＣ指示フィールド、ＰＵＣＣＨリソース指示フィールド、物理下り共有チャネルＰＤＳＣＨ−ＨＡＲＱのフィードバック時間指示フィールド、及び巡回冗長検査フィールドの少なくとも１つを更に含む、請求項１１〜１３のいずれか一項に記載のＤＣＩの伝送装置。
【請求項１５】
時間領域リソース割当フィールド、アグリゲーション伝送指示フィールド、時間領域リソースの設定値及び変調階数の設定値を指示する第１指示フィールド又は時間領域リソースの設定値及びアグリゲーション伝送指示の設定値を指示する第２指示フィールドを含み、下り制御情報ＤＣＩを伝送するためのＤＣＩフォーマットを決定するためのプロセッサと、
前記ＤＣＩフォーマットに基づいて前記ＤＣＩを伝送するためのトランシーバとを含む、ネットワーク機器。
【国際調査報告】
2021519043.tif 000034
2021519043.tif 000035
2021519043.tif 000036
2021519043.tif 000037